(57)【要約】  【課題】たとえ表示部のパネルサイズが小さくても、使用タイミングやボタンの操作がどの領域に反映されるかを直観的に理解できるようにしつつ、表示の無駄をなくし、確実に情報を伝える。  【解決手段】表示入力装置は、操作入力を受け付ける入力部と、操作入力用の画面を表示し、入力部への入力を反映し、少なくとも数字、文字を表示する入力結果表示領域を含む表示部と、を有し、表示部は、数字、文字を入力する上で、利用可能な機能がある場合、入力結果表示領域内又は入力結果表示領域の隣接エリアに、利用可能な機能を用いるための入力用のボタンを表示し、利用可能な機能がない場合、入力結果表示領域内又は入力結果表示領域の隣接エリアに、ボタンを表示しない。【選択図】図４
2011199504.tif 000002
【特許請求の範囲】
【請求項１】
操作入力を受け付ける入力部と、
操作入力用の画面を表示し、前記入力部への入力を反映し、少なくとも数字、文字を表示する入力結果表示領域を含む表示部と、を有し、
前記表示部は、数字、文字を入力するうえで、利用可能な機能がある場合、前記入力結果表示領域内又は前記入力結果表示領域の隣接エリアに、利用可能な機能を用いるための入力用のボタンを表示し、利用可能な機能がない場合、前記入力結果表示領域内又は前記入力結果表示領域の隣接エリアに、前記ボタンを表示しないことを特徴とする表示入力装置。
【請求項２】
前記表示部は、前記ボタンを表示しないとき、前記ボタンに変えて、入力に関する情報を表示することを特徴とする請求項１記載の表示入力装置。
【請求項３】
前記入力結果表示領域は、データ送信先の宛先の入力結果を表示し、
前記ボタンは、前に実行されたデータ送信の宛先を呼び出す再宛先ボタンであることを特徴とする請求項１又は２に記載の表示入力装置。
【請求項４】
前記請求項１乃至３のいずれか１項に記載の表示入力装置を含むことを特徴とする画像形成装置。
【発明の詳細な説明】
【技術分野】
【０００１】
本発明は、液晶パネル等の表示部とタッチパネル等の入力部を備えた複写機、複合機、プリンタ、ＦＡＸ装置等の画像形成装置に関する。
【背景技術】
【０００２】
例えば、複写機、複合機等の画像形成装置などでは、用いる機能の選択や設定等の入力を行うため、表示入力装置を装備することがある。例えば、表示入力装置は、画面や入力用のボタンを表示するタッチパネル式の表示部や、ハードキー等を備える。しかし、多数の機能の設定を受け付ける場合、表示入力装置への入力手順や、画面での表示が複雑になりやすい。そのため、不慣れな使用者は、次にどのような操作ができるか戸惑うことがある。そこで、不慣れな使用者を考慮した発明が特許文献１に記載されている。
【０００３】
具体的に、特許文献１には、作業フロー中の所定の作業ステップの終了を検知し、次に必要な作業ステップもしくは入力ステップに必要な操作キーに作業者を導くため、導きたい操作キー自体、もしくはその操作キー近傍に、発光、点滅、ポップアップ等の変化信号発生させる入出力装置が記載されている。この構成で、次に必要な操作キーがどれに当るのか見当が付きにくさを解消し、不慣れな者によっても手順に従って容易に所望する機能を使いこなすことのできる入出力装置を提供しようとする（特許文献１：請求項１、段落［０００４］、［０００５］等参照）。
【先行技術文献】
【特許文献】
【０００４】
【特許文献１】特開２００３−３３０５９７号公報
【発明の概要】
【発明が解決しようとする課題】
【０００５】
例えば、画像形成装置の表示入力装置では、操作、設定用の画面をタッチパネル式の液晶表示部に表示する。そして、画像形成装置などの表示入力装置は、画像データの送信先や名称等、数字や文字等の入力を受け付け、入力結果を反映し、表示することがある。
【０００６】
そして、例えば、数字や文字等の入力に関する機能が表示入力装置に搭載される場合がある。例えば、先になされた数字等の入力履歴から所望する履歴を呼び出すと、呼び出された履歴の数字等で入力がなされた状態とする機能などがある。これにより、同じ数字等の再入力の手間が省かれる。このような入力補助の機能を使用するためのボタンは、例えば、タッチパネル式の表示部に表示される。
【０００７】
一方で、数字等の入力に関する機能は、常時、用いることができるとは限らない。例えば、上述の履歴を参照する機能は、履歴がなければ、用いることができない。このように、画像形成装置や表示入力装置の状態により、有効（押下されると反応して機能が利用できる）と、無効（押下しても機能が利用できない）の状態が切り替わる入力用のボタンがある。
【０００８】
一般に、数字等の入力や入力補助に関するボタンは、用いなくても数字や文字等の入力は行え、又、有効、無効が切り替わり、重要度が低く扱われる場合がある。そのため、数字等の入力結果表示領域と位置的に離されて表示される場合がある。しかし、数字等の入力結果表示領域と、数字等の入力や入力補助に関するボタンが位置的に離されて配されると、ボタンの操作がどの領域に反映されるかわかりづらくなるという問題がある。
【０００９】
特に、画像形成装置等の表示部には、小さいパネルサイズのもの（例えば、４．３インチ等）が用いられる場合がある。パネルサイズが小さくても、１画面中にある程度の情報量を表示しなくてはならず、表示のレイアウトの都合上、数字等の入力結果表示領域と、数字等の入力や入力補助に関するボタンが位置的に離されて配される場合がある。
【００１０】
又、表示部に表示される画面の画像データは固定的であるので、従来、数字等の入力や入力補助に関するボタンは、無効の状態では、グレーアウトや、半透過表示などがなされる。しかし、使用できないのに、数字等の入力や入力補助に関するボタンを表示することは画面領域の無駄であるという問題がある。特に、小さいパネルサイズの表示部の場合ほど、画面領域の無駄の度合いは、相対的に大きくなる。
【００１１】
ここで、特許文献１記載の発明をみると、次に必要な操作キーがどれに当るのか見当をつけることができるが、操作キーを操作すれば、どのように反映されるか、どのように作用するかまでは示されない。従って、ボタンの操作がどの領域に反映されるかわかりづらい、という問題に対応できない。又、特許文献１記載の発明は、入出力装置に対し、固定して設けられるハードキーを対象としたものであり、使用できないボタンの表示による画面領域の無駄という問題に対応できない。従って、特許文献１記載の発明では、上記の問題を解決できない。
【００１２】
本発明は、たとえ表示部のパネルサイズが小さくても、機能が利用できる場合にのみ、入力結果表示領域内又は隣接するエリアに入力に関するボタンを表示し、使用タイミングやボタンの操作がどの領域に反映されるかを直観的に理解できるようにしつつ、表示の無駄をなくし、確実に情報を伝えることを課題とする。
【課題を解決するための手段】
【００１３】
上記課題解決のため請求項１に係る表示入力装置は、操作入力を受け付ける入力部と、操作入力用の画面を表示し、前記入力部への入力を反映し、少なくとも数字、文字を表示する入力結果表示領域を含む表示部と、を有し、前記表示部は、数字、文字を入力するうえで、利用可能な機能がある場合、前記入力結果表示領域内又は前記入力結果表示領域の隣接エリアに、利用可能な機能を用いるための入力用のボタンを表示し、利用可能な機能がない場合、前記入力結果表示領域内又は前記入力結果表示領域の隣接エリアに、前記ボタンを表示しないこととした。
【００１４】
この構成によれば、数字、文字を入力する上で、利用可能な機能がある場合、入力結果表示領域内又は入力結果表示領域の隣接エリアに、利用可能な機能を用いるための入力用のボタンが表示され、利用可能な機能がない場合、入力結果表示領域内又は入力結果表示領域の隣接エリアに、ボタンが表示されない。
【００１５】
これにより、数字、文字を入力する上で、利用可能な機能を用いるための入力用のボタンが入力結果表示領域に近い位置に必ず表示される。従って、ボタンの操作の結果が入力結果表示領域に反映されることや、ボタンの使用タイミングを直観的に理解することができる。又、機能が使用可能であることを確実に使用者に伝えることができる。又、利用可能な機能がない場合、ボタンは表示されないので、画面領域の無駄をなくし、画面領域を有効に活用することができる。
【００１６】
又、請求項２に係る発明は、請求項１の発明において、前記表示部は、前記ボタンを表示しないとき、前記ボタンに変えて、入力に関する情報を表示することとした。
【００１７】
この構成によれば、ボタンが表示されないとき、ボタンに変えて、入力に関する情報が表示される。これにより、画面領域の無駄をなくし、画面領域を有効に活用することができる。
【００１８】
又、請求項３に係る発明は、請求項１又は２の発明において、前記入力結果表示領域は、データ送信先の宛先の入力結果を表示し、前記ボタンは、前に実行されたデータ送信の宛先を呼び出す再宛先ボタンであることとした。
【００１９】
この構成によれば、ボタンは、前に実行されたデータ送信の宛先を呼び出す再宛先ボタンである。これにより、入力結果表示領域内又は隣接エリアに再宛先ボタンが表示され、たとえ表示部のパネルサイズが小さくても、再宛先ボタンが確実に視認される。従って、再宛先ボタンの視認性が向上する。又、再宛先ボタンの押し忘れや見落としがなくなり、使用者の数字等の入力における利便性を向上させることができる。
【００２０】
又、請求項４に係る画像形成装置は、請求項１乃至３のいずれか１項に記載の表示入力装置を含むこととした。
【００２１】
この構成により、画像形成装置で数字や文字の入力を行う上で、従って、ボタンの操作の結果が入力結果表示領域に反映されることや、ボタンの使用タイミングを直観的に理解することができる。又、機能が使用可能であることが確実に使用者に伝えられる。又、利用可能な機能がない場合、ボタンは表示されず、画面領域は有効に活用される。従って、表示の無駄がなく、使用タイミングやボタンの操作がどの領域に反映されるかを直観的に理解できる画像形成装置を提供することができる。
【発明の効果】
【００２２】
上述したように、本発明によれば、たとえ表示部のパネルサイズが小さくても、機能が利用できる場合にのみ、入力結果表示領域内又は隣接エリアに、数字等の入力に関するボタンを表示する。これにより、表示の無駄をなくし、使用タイミングやボタンの操作がどの領域に反映されるかを直観的に理解できるようにすることができる。又、使用者にボタンが使用できる状態にある等、表示される情報を確実に伝えることができる。
【図面の簡単な説明】
【００２３】
【図１】実施形態に係る複合機の一例を示す正面模型的断面図である。
【図２】実施形態に係る操作パネルの一例を示す平面図である。
【図３】実施形態に係る複合機のハードウェア構成の一例を示すブロック図である。
【図４】実施形態に係る液晶表示部に表示される宛先入力画面の一例を示す説明図で、（ａ）は再宛先ボタンが表示される場合を示し、（ｂ）は再宛先ボタンが非表示の場合を示す。
【図５】実施形態に係る液晶表示部に表示されるＦＡＸ送信先入力画面の一例を示す説明図であり、（ａ）は再宛先ボタンが表示される場合を示し、（ｂ）は再宛先ボタンが非表示の場合を示す。
【図６】実施形態に係る液晶表示部に表示される外部のコンピュータへの画像データを送信する際の文字入力画面の一例を示す説明図であり、（ａ）は変換ボタンが表示される場合を示し、（ｂ）は変換ボタンが非表示の場合を示す。
【図７】実施形態に係る文字、数字、記号等の入力画面での表示制御の一例を示すフローチャートである。
【発明を実施するための形態】
【００２４】
以下、本発明の実施形態を図１〜図７を用いて説明する。ここで、本実施形態では、操作パネル１（表示入力装置に相当）を含む複合機１００（画像形成装置に相当）を例に挙げて説明する。但し、本実施の形態に記載されている構成、配置等の各要素は、発明の範囲を限定するものではなく単なる説明例にすぎない。
【００２５】
（複合機１００の概略）
まず、図１を用いて、本発明の実施形態に係る複合機１００の概略を説明する。図１は本発明の実施形態に係る複合機１００の一例を示す正面模型的断面図である。
【００２６】
まず、図１に示すように、複合機１００の正面前方には、複合機１００に関して各種設定を行うための操作パネル１が設けられる（波線で図示、詳細は後述）。そして、上部に画像読取部２と原稿搬送装置３が設けられる。又、複合機１００は、本体内部に、給紙部４ａ、搬送路４ｂ、画像形成部５、中間転写部６ａ、定着部６ｂ、用紙排出部７ａ、両面搬送路７ｂ等を備える。
【００２７】
原稿搬送装置３は、読み取る原稿を載置する原稿トレイ３１を有する。そして、原稿搬送装置３は、原稿トレイ３１から原稿を１枚ずつ、自動的に連続して読取位置（送り読取用コンタクトガラス２１）に搬送する。又、原稿搬送装置３は、図１の紙面奥側を支点として画像読取部２に上下方向に開閉自在に取り付けられ、画像読取部２のコンタクトガラス（送り読取用コンタクトガラス２１及び載置読取用コンタクトガラス２２）を上方から押さえるカバーとして機能する。
【００２８】
次に、画像読取部２は、図１に示すように、上面に送り読取用コンタクトガラス２１と書籍等の原稿を１枚ずつ読み取る際に原稿を載置する載置読取用コンタクトガラス２２を含む。画像読取部２内には、ランプ、ミラー、レンズ、イメージセンサ等（不図示）が配される。イメージセンサは、送り読取用コンタクトガラス２１を通過する原稿、あるいは、載置読取用コンタクトガラス２２に載置された原稿の反射光を元に、原稿を読み取る。そして、イメージセンサは、反射光を画像濃度に応じたアナログの電気信号に変換し、その後、量子化を行い、その結果、原稿の画像データが得られる。尚、本実施形態の画像読取部２は、カラーでも読み取り可能であり、白黒でも読み取り可能である。
【００２９】
複合機１００本体内の複数の給紙部４ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４ａは、それぞれ回転駆動する給紙ローラ４１を備え、印刷時、１枚ずつ搬送路４ｂに用紙を送り込む。
【００３０】
搬送路４ｂは、給紙部４ａから画像形成部５まで、装置内で用紙を搬送する通路である。そして、搬送路４ｂには、用紙の案内のためのガイド板や、用紙搬送時に回転駆動する搬送ローラ対４２、４３、４４や、搬送される用紙を画像形成部５の手前で待機させ、形成されたトナー像の転写タイミングに合わせ用紙を送り出すレジストローラ対４５等が設けられる。
【００３１】
画像形成部５は、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部２で読み取られた画像データや後述の記憶装置９２に記憶される画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３２】
中間転写部６ａは、各画像形成ユニット５０からトナー像の１次転写を受け、シートに２次転写を行う。中間転写部６ａは、各１次転写ローラ６１Ｂｋ〜６１Ｍ、中間転写ベルト６２、駆動ローラ６３、複数の従動ローラ６４、２次転写ローラ６５、ベルト清掃装置６６等で構成される。各１次転写ローラ６１Ｂｋ〜６１Ｍは、対応する感光体ドラムと無端状の中間転写ベルト６２を挟み込む。各１次転写ローラ６１Ｂｋ〜６１Ｍには、転写用電圧が印加され、トナー像は中間転写ベルト６２に転写される。
【００３３】
中間転写ベルト６２は、駆動ローラ６３等に張架され、モータ等の駆動機構（不図示）に接続される駆動ローラ６３の回転駆動により周回する。又、駆動ローラ６３は、２次転写ローラ６５とで中間転写ベルト６２を挟み込む。各画像形成ユニット５０で形成されたトナー像（ブラック、イエロー、シアン、マゼンタの各色）は、順次、ずれなく重畳して中間転写ベルト６２に１次転写された後、所定の電圧を印加された２次転写ローラ６５により、シートに転写される。
【００３４】
定着部６ｂは、用紙に転写されたトナー像を定着させる。定着部６ｂは、主として、発熱体を内蔵する加熱ローラ６７とこれに圧接する加圧ローラ６８で構成される。そして、用紙が、加熱ローラ６７と加圧ローラ６８のニップを通過すると、トナーが溶融・加熱され、トナー像が用紙に定着する。
【００３５】
用紙排出部７ａは、定着部６ｂの用紙搬送下流側に設けられる。又、両面印刷を行う際に、用紙排出部７ａは、片面印刷済み用紙を再びレジストローラ対４５上流側まで搬送する両面搬送路７ｂが接続される。
【００３６】
用紙排出部７ａには、正逆回転可能な排出ローラ対７１を有する。定着部６ｂを通過した用紙は、排出ローラ対７１に向けて搬送される。そして、排出ローラ対７１は、片面印刷時や、両面印刷完了時には、用紙を排出トレイ７２方向に搬送する方向に回転する。その結果、印刷済み用紙は、排出トレイ７２に排出される。
【００３７】
一方、両面印刷時の片面印刷済み用紙が送られてきた場合、排出ローラ対７１は、片面印刷済み用紙を排出トレイ７２に排出する方向に回転するが、片面印刷済み用紙を排出しきる前に逆回転する。このスイッチバックによって、機内方向に逆送される用紙は、両面搬送路７ｂに導かれる。
【００３８】
両面搬送路７ｂには、複数の両面印刷用搬送ローラ対７３、７４、７５が設けられる。各両面印刷用搬送ローラ対７３〜７５は、回転し、片面印刷済み用紙をレジストローラ対４５上流に導く。
【００３９】
（操作パネル１）
次に、図２を用いて、本発明の実施形態に係る操作パネル１の一例を説明する。図２は本発明の実施形態に係る操作パネル１の一例を示す平面図である。
【００４０】
操作パネル１（表示入力装置に相当）は、図１及び図２に示すように、複合機１００の正面上方に設けられ、複合機１００の設定や動作指示を与えるためのメニューやキー（図５等参照）や、複合機１００等の状態のメッセージ等の各種画像、画面を表示する液晶表示部８（表示部に相当）を有する。使用者は、液晶表示部８に表示されたキーを押下し、複合機１００のコピーにおける各種設定や動作指示を行える。
【００４１】
そして、液晶表示部８の上面にタッチパネル部１１（入力部に相当）が設けられる。タッチパネル部１１は、液晶表示部８のうち、使用者に押下された部分の位置、座標を検出するためのものである。このタッチパネル部１１を用いた検出座標と、液晶表示部８に示される各種キーの位置、座標を比較し、使用者が押下したキーが特定される。尚、タッチパネル部１１としては、抵抗膜方式、表面弾性波方式、赤外線方式、静電容量方式等、各方式のものを採用でき特に制限はない。
【００４２】
又、操作パネル１には、以下のようなハードとしてのキー（ボタン）が設けられる。例えば、数字入力用のテンキー部１２や、各種設定後、コピー等のジョブ開始指示用のスタートキー１３や、開始されたジョブを中止させるストップキー１４等が設けられる。又、コピー機能を利用する際に押下されるコピーキー１５、スキャナ機能、ＦＡＸ機能を利用する際に押下される送信キー１６等が設けられる。このように、操作パネル１には、タッチパネル部１１や各種ハードキーが備えられ、タッチパネル部１１や各種ハードキーは、複合機１００の各機能について、各種設定、モード選択等を行う入力部として機能する。
【００４３】
（複合機１００等のハードウェア構成）
次に、図３を用いて、本発明の実施形態に係る複合機１００のハードウェア構成の一例を説明する。図３は、本発明の実施形態に係る複合機１００のハードウェア構成の一例を示すブロック図である。
【００４４】
まず、複合機１００の本体側から説明する。複合機１００本体内には、制御部９が設けられる。制御部９は、例えば、操作パネル１、原稿搬送装置３、画像読取部２、給紙部４ａ、搬送路４ｂ、画像形成部５、定着部６ｂ等と接続され、これらの制御を行う。
【００４５】
制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらを１つの制御部９としてまとめた形態を示し、説明する。
【００４６】
記憶装置９２は、制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。
【００４７】
そして、制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部２で得られた画像データを画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００４８】
又、制御部９は、操作パネル１になされた入力を認識し、使用者の設定にあわせてコピー等が行われるように複合機１００を制御する。例えば、操作パネル１で、使用する給紙部４ａを指定してコピーする旨が設定されると、制御部９は、指定された給紙部４ａから給紙を行わせる。又。操作パネル１で指定された送信先に、制御部９はＩ／Ｆ部９３から画像データを送信させる。
【００４９】
又、例えば、制御部９には、画像読取部２で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置５１に送信され、感光体ドラムの走査・露光に用いられ、又、Ｉ／Ｆ部９３に送信され、外部に発信される。
【００５０】
本実施形態の操作パネル１は、表示制御部１０、メモリ１７（記憶部に相当）、ドライバ回路１８、液晶表示部８、タッチパネル部１１を有する。表示制御部１０は、ＣＰＵやＩＣ等で構成され、液晶表示部８の表示を制御し、タッチパネル部１１の出力を受け、液晶表示部８で押下された座標を特定する。タッチパネル部１１の出力と座標の対応を示すテーブル等のデータは、メモリ１７に記憶される。表示制御部１０は、押下位置の座標と各設定画面の画像データを比較する等により、設定画面上で選択された（押下された）キーを特定、認識する。
【００５１】
具体的に、複合機１００の各機能の設定項目を選択し、設定値を設定するには、液晶表示部８における最上層の表示から、液晶表示部８に表示されるキーの選択を繰り返す。そして、キー選択ごとに、表示制御部１０は、液晶表示部８の表示を切り換えさせ、最終的に、選択、設定しようとする機能の設定値が設定される。表示制御部１０は、この機能の選択、設定が行われたことを認識し、その内容を本体の制御部９に送信する。これにより、制御部９は、操作パネル１で選択、設定された機能を反映した動作を画像形成部５等の各部に行わせる。そして、使用者の意思が、印刷、送信等において反映される（例えば、濃度設定や拡大縮小など）。
【００５２】
そして、液晶表示部８が表示する画面、画像の画像データは、例えば、操作パネル１内のメモリ１７に記憶される。従って、表示制御部１０は、設定項目の選択画面や各設定画面中のキーが押下されるごとに、表示制御部１０は、次に表示すべき画面の画像データをメモリ１７から読み出す。
【００５３】
又、液晶表示部８が表示する画面、画像の画像データは、例えば、本体側の記憶装置９２に記憶させてもよい。この場合、操作パネル１は、液晶表示部８で表示を行うための画像データを、制御部９を介し、記憶装置９２から受信する。この画像データを受けて、表示制御部１０は、液晶画面の表示を実際に制御するドライバ回路１８に指示を与える。尚、操作パネル１には、表示制御部１０やメモリ１７を設けず、表示制御部１０、メモリ１７の機能を制御部９の構成（ＣＰＵ９１や記憶装置９２）に代用させても良い。
【００５４】
（ボタンの表示・非表示、再宛先ボタン１）
次に、図４を用い、本発明の実施形態に係る液晶表示部８でのボタンの表示、非表示の一例を、宛先入力画面Ｓ１を例に挙げて説明する。図４は、本発明の実施形態に係る液晶表示部８に表示される宛先入力画面Ｓ１の一例を示す説明図であり、（ａ）は再宛先ボタンＢ１が表示される場合を示し、（ｂ）は再宛先ボタンＢ１が非表示の場合を示す。
【００５５】
本実施形態の複合機１００は、多数の設定可能な機能を有する。そして、本実施形態の複合機１００では、文字、数字、記号等を入力する場合がある。例えば、文字、数字、記号等を入力する場合には、画像読取部２で読み取られた原稿の画像データの送信先を入力する場合や、送信先の名称やアドレス情報等を登録するため、原稿の画像データの送信先を入力する場合や、複合機１００の使用者や管理者を設定する場合などがある。
【００５６】
そして、文字、数字、記号等の入力では、入力結果を反映する入力結果表示領域Ｆが液晶表示部８に設けられる。言い換えると、液晶表示部８は、入力結果表示領域Ｆに、入力結果を反映して表示する。
【００５７】
又、本実施形態の複合機１００では、文字、数字、記号等の入力において、使用者の入力を簡易にするため、各種補助機能を有する。そこで、図４を用いて、文字、数字、記号等の入力における補助機能の一例を説明する。
【００５８】
まず、液晶表示部８は、例えば、送信キー１６が押下された際、図４に示す画像データの送信先の宛先入力画面Ｓ１を表示する。この宛先入力画面Ｓ１では、例えば、最上部にメッセージ表示欄Ｍ１が設けられる（図４では、「宛先を選択してください。」のメッセージが表示された状態を示す。）
【００５９】
そして、メッセージ表示欄Ｍ１の下方に、入力結果表示領域Ｆ１が設けられる。具体的に、宛先入力画面Ｓ１での入力結果表示領域Ｆ１は、使用者による画像データの送信先の入力結果が表示される。
【００６０】
又、入力結果表示領域Ｆ１の下方には、画像データの送信方法を選択するための送信方法選択キー群Ｇ１が配される。例えば、図４に示す例では、送信方法選択キー群Ｇ１内に、ＦＡＸ送信キーＫ１、Ｅ−ｍａｉｌ送信キーＫ２、ＰＣ送信キーＫ３が表示された状態を示している。尚、１画面内に表示できる送信方法選択用のキーには限りがある（図４の例では３つ）。そこで、送信方法選択キー群Ｇ１の右側に配された矢印キーＫ４が押下されると、液晶表示部８は、他の送信方法（例えば、インターネットＦＡＸ等）を示すキーを新たに表示する。
【００６１】
又、送信方法選択キー群Ｇ１の下方には、ショートカットキー群Ｇ２が配される。使用者は、各ショートカットキーへの宛先の割り振りを予め設定しておく。そして、使用者は、各ショートカットキーを押下するだけで、宛先を指定、設定した状態とできる。尚、１画面内に表示できるショートカットキーには限りがある（図４の例では３つ）。そこで、ショートカットキー群Ｇ２の右側に配された矢印キーＫ５が押下されると、液晶表示部８は、他のショートカットキーを新たに表示する。
【００６２】
そして、図４（ａ）に示すように、使用者による宛先入力を補助するため、液晶表示部８は、入力結果表示領域Ｆ１に、再宛先ボタンＢ１を表示する。このとき、再宛先ボタンＢ１は、入力結果表示領域Ｆ１内に表示される（再宛先ボタンＢ１は入力結果表示領域Ｆ１に隣接して表示されてもよい）。即ち、入力結果表示領域Ｆは、データ送信先の宛先の入力結果を表示し、本発明に係るボタンの１つは、前に実行されたデータ送信の宛先を呼び出す再宛先ボタンＢ１である。
【００６３】
そして、本実施形態の複合機１００では、送信履歴が残される。送信履歴には、送信日時や宛先名称や宛先のアドレス（ＦＡＸ番号やＥメールアドレスやネットワークアドレス等）が含まれる。この送信履歴は、例えば、操作パネル１のメモリ１７や複合機１００本体内の記憶装置９２に記憶される。
【００６４】
再宛先ボタンＢ１が押下されると、表示制御部１０は、送信履歴を取得し、例えば、液晶表示部８は、送信履歴に含まれる送信先を一覧表示する。そして、表示された既送信の宛先が選ばれると（押下されると）、液晶表示部８は、入力結果表示領域Ｆ１に既送信の宛先のアドレスが表示される。これにより、ＦＡＸ番号やアドレスを逐一入力せずに、宛先を入力済みの状態にすることができる。
【００６５】
尚、情報セキュリティの観点から、再宛先ボタンＢ１を押すと、直前に送信した宛先のみについて、入力結果表示領域Ｆ１に表示されるようにしてもよい（入力済み状態とされてもよい）。又、情報セキュリティの観点から、送信から一定の時間（例えば、数分〜数十分）が経過すると、送信履歴が順に消去されるようにしてもよいし、送信履歴は消去しないが、再宛先ボタンＢ１を用いた入力機能を使用不可としてもよい。
【００６６】
しかし、例えば、主電源投入後、一度も送信のジョブが実行されていない場合や、送信履歴が消去された場合など、再宛先ボタンＢ１を用いることができない場合がある。このように、利用できる送信履歴がなく、再宛先ボタンＢ１による宛先入力（宛先指定）の補助機能を用いることができない場合、液晶表示部８は、図４（ｂ）に示すように、再宛先ボタンＢ１を表示しない。
【００６７】
（ボタンの表示・非表示、再宛先ボタン２）
次に、図５を用いて、本発明の実施形態に係る液晶表示部８でのボタンの表示、非表示の一例を、ＦＡＸ送信先入力画面Ｓ２を例に挙げて説明する。図５は、本発明の実施形態に係る液晶表示部８に表示されるＦＡＸ送信先入力画面Ｓ２の一例を示す説明図であり、（ａ）は再宛先ボタンＢ１が表示される場合を示し、（ｂ）は再宛先ボタンＢ１が非表示の場合を示す。
【００６８】
本実施形態の複合機１００では、画像データの送信機能を有する。そして、本実施形態の複合機１００では、例えば、画像読取部２での読み取りで得られた画像データや、外部のコンピュータ２００から受信した画像データに基づき、ＦＡＸ送信を行うことができる。そして、図５は、ＦＡＸ送信先の入力画面の一例を示す。
【００６９】
まず、液晶表示部８は、例えば、図５に示す画像データのＦＡＸ送信先入力画面Ｓ２を、図４に示す宛先入力画面Ｓ１で、ＦＡＸ送信キーＫ１が押下されると表示する。このＦＡＸ送信先入力画面Ｓ２でも、例えば、最上部にメッセージ表示欄Ｍ２が設けられる（図５では、「テンキーでＦＡＸ送信先を入力してください。」のメッセージが表示された状態を示す。）
【００７０】
そして、メッセージ表示欄Ｍ２の下方に、ＦＡＸでの送信方法を選択するための送信機能キー群Ｇ３が配される。例えば、図５に示す例では、送信機能キー群Ｇ３内に、チェーン送信機能を利用する際に押下されるチェーンキーＫ６、オンフック送信機能を利用する際に押下されるオンフックキーＫ７、ダイレクト送信機能を利用する際に押下されるダイレクト送信キーＫ８が表示された状態を示している。
【００７１】
又、送信機能キー群Ｇ３の下方には、入力結果表示領域Ｆ２が設けられる。具体的に、ＦＡＸ送信先入力画面Ｓ２での入力結果表示領域Ｆ２は、テンキー等を用いた使用者による相手方ＦＡＸ装置３００の送信先（相手方ＦＡＸ番号）の入力結果が表示される。
【００７２】
又、入力結果表示領域Ｆ２の右側には、新規追加キーＫ９が配される。この新規追加キーＫ９を押下すると、宛先名称等を入力する画面に切り替わり、複合機１００に宛先名称や相手方ＦＡＸ番号等をメモリ１７や記憶装置９２に登録、記憶させることができる。そして、登録された宛先名称や宛先アドレスは、アドレス帳画面に一覧表示させることができる。図示しないが、アドレス帳画面では、宛先を指定することで、送信先の設定を行うことができる。
【００７３】
又、入力結果表示領域Ｆ２の下方には、宛先入力方法指定キー群Ｇ４が配される。例えば、宛先入力方法指定キー群Ｇ４内には、例えば、ＦＡＸ送信用のアドレス帳画面を表示させるＦＡＸアドレス帳キーＫ１０が配される。ＦＡＸアドレス帳キーＫ１０が押下されると、液晶表示部８は、ＦＡＸ番号が記憶されている宛先に絞り込んだ状態で、宛先名称や宛先の送信先情報を一覧表示するアドレス帳画面を表示する。
【００７４】
一方、宛先入力方法指定キー群Ｇ４内のアドレス帳キーＫ１１は、ＦＡＸ以外の送信先（例えば、Ｅメール等）を含めたアドレス帳画面を表示させるアドレス帳キーＫ１１も配される。アドレス帳キーＫ１１が押下されると、液晶表示部８は、ＦＡＸ番号に絞り込んでいない状態の宛先名称や宛先の送信先情報を一覧表示するアドレス帳画面を表示する。
【００７５】
ここで、図５（ａ）に示すように、使用者による宛先入力（相手方ＦＡＸ番号入力）を補助するため、液晶表示部８は、入力結果表示領域Ｆ２に、再宛先ボタンＢ１を表示してもよい。このとき、再宛先ボタンＢ１は、入力結果表示領域Ｆ２内に表示される。ＦＡＸ送信先入力画面Ｓ２の再宛先ボタンＢ１が押下された際、液晶表示部８は、例えば、操作パネル１のメモリ１７や複合機１００本体内の記憶装置９２に記憶される送信履歴を用いる。
【００７６】
再宛先ボタンＢ１が押下されると、例えば、液晶表示部８は、送信履歴に含まれるＦＡＸ送信先を一覧表示する。そして、表示された既送信の宛先が選ばれると（押下されると）、液晶表示部８は、入力結果表示領域Ｆ２に既送信の宛先（ＦＡＸ番号）が表示される。これにより、ＦＡＸ番号を逐一入力せずに、宛先入力済みの状態にすることができる。
【００７７】
尚、このＦＡＸ送信先入力画面Ｓ２の再宛先ボタンＢ１でも、情報セキュリティの観点から、再宛先ボタンＢ１を押すと、直前に送信したＦＡＸ送信先のみについて、入力済みの状態にするようにしてもよい。又、情報セキュリティの観点から、送信から一定の時間（例えば、数分〜数十分）が経過すると、ＦＡＸ送信履歴が順に消去されるようにしてもよいし、ＦＡＸ送信履歴は消去しないが、再宛先ボタンＢ１を用いた入力機能を使用不可としてもよい。
【００７８】
例えば、主電源投入後、一度もＦＡＸ送信のジョブが実行されていない場合のように、ＦＡＸ送信の送信履歴がない場合がある。このように、メモリ１７や記憶装置９２に送信履歴がなく、再宛先ボタンＢ１による宛先入力（宛先指定）の補助機能を用いることができない場合、液晶表示部８は図５（ｂ）に示すように、再宛先ボタンＢ１を表示しない。
【００７９】
（ボタンの表示・非表示、変換ボタンＢ２）
次に、図６を用い、本発明の実施形態に係る液晶表示部８でのボタンの表示、非表示の一例を、文字入力画面を例に挙げて説明する。図６は、本発明の実施形態に係る液晶表示部８に表示される外部のコンピュータ２００への画像データを送信する際の文字入力画面の一例を示す説明図であり、（ａ）は変換ボタンＢ２が表示される場合を示し、（ｂ）は変換ボタンＢ２が非表示の場合を示す。
【００８０】
本実施形態の複合機１００では、多数の設定可能な機能を有する。そして、本実施形態の複合機１００では、特に、文字（例えば、アルファベット、仮名、漢字等）の入力が必要となる場合がある。
【００８１】
例えば、特に文字入力が必要となる場合には、宛先の名称を入力してアドレス帳に登録する場合や、画像読取部２で読み取られた画像データのファイル名をつける場合や、原稿の画像データの送信先のアドレス情報を入力する場合や、複合機１００の使用者や管理者を設定する場合や、パスワードを入力する場合などがある。
【００８２】
そして、特に、文字入力が必要になると、本実施形態の液晶表示部８は、ソフトキーボード入力画面Ｓ３を表示する。このソフトキーボード入力画面Ｓ３でも、ソフトキーボードに対する入力結果を反映する入力結果表示領域Ｆが液晶表示部８に設けられる。言い換えると、液晶表示部８は、入力結果表示領域Ｆに、入力結果を反映して表示する。
【００８３】
又、本実施形態の複合機１００では、ソフトキーボードを用いた文字入力でも使用者の入力のための補助機能を有する。そこで、図６を用い、図４に示したＰＣ送信キーＫ３を押下した際に表示され、画像データ送信先のコンピュータ２００のアドレス情報を入力するためのソフトキーボード入力画面Ｓ３（文字入力画面）での変換機能を一例にあげ、説明する。
【００８４】
まず、液晶表示部８は、画像データをＰＣに送信する際、例えば、図６に示すソフトキーボード入力画面Ｓ３を、ＰＣのアドレス情報入力のために表示する。このソフトキーボード入力画面Ｓ３では、例えば、最上部にメッセージ表示欄Ｍ３が設けられる（図６では、「Ｈｏｓｔ  Ｎａｍｅ＞Ｐａｔｈ＞Ｕｓｅｒ  Ｎａｍｅ＞Ｐａｓｓｗｏｒｄ＞」のメッセージが表示された状態を示す。）
【００８５】
図６におけるメッセージは、ホスト名→パス→ユーザ名→パスワードの項目順で文字等の入力が必要であることを示す。そして、液晶表示部８は、現在表示中の項目まで、表示色を変える（図６では、網掛けで図示）。例えば、図６に示すソフトキーボード入力画面Ｓ３は、ホスト名入力用の画面である。そして、ソフトキーボード入力画面Ｓ３の下方には、次キーＫ１５が設けられる。次キーＫ１５が押下されると、液晶表示部８は、次の入力項目（図６に示す例では、パス）の入力用のソフトキーボード入力画面Ｓ３を表示する。
【００８６】
そして、メッセージ表示欄Ｍ３の下方には、入力結果表示領域Ｆ３が配される。具体的に、ソフトキーボード入力画面Ｓ３での入力結果表示領域Ｆ３には、使用者によるソフトキーボードを用いた入力結果が表示される。
【００８７】
入力結果表示領域Ｆ３の下方には、入力用キー群Ｇ５が配される。入力用キー群Ｇ５には、アルファベットの各文字のほか、「＠」や「＜」や「．」等のアドレス入力に頻繁に用いられる記号が含まれる。又、入力用キー群Ｇ５の上方には、日本語キーＫ１６や、記号キーＫ１７や、大文字小文字切替キーＫ１８や４種の矢印キーＫ１９等が設けられる。
【００８８】
例えば、日本語キーＫ１６を押下すると、使用者は、ローマ字による入力を行うことができる。図６（ａ）に示すように、日本語入力モードでは、例えば、日本語キーＫ１６が白黒反転状態となる。一方、図６（ｂ）に示すように、日本語キーＫ１６が白黒反転状態でなければ、使用者は、アルファベット入力を行うことができる。尚、テンキー部１２を用いて、数字入力を行うこともできる。
【００８９】
又、例えば、記号キーＫ１７が押下されると、液晶表示部８は、各アルファベットのキーに変えて、「！」、「＃」、「％」、「’」、「＊」等の記号が記されたキーを表示する。この記号が記されたキーを押下することで、使用者は、各種記号入力を行うことができる。又、例えば、大文字小文字切替キーＫ１８が押下されると、液晶表示部８は、各アルファベットのキーの大文字、小文字を切り替えて表示する。この大文字小文字切替キーＫ１８押下することで、使用者は、アルファベットを大文字でも、小文字でも入力することができる。
【００９０】
そして、図６（ａ）に示すように、入力における漢字変換のため、液晶表示部８は、入力結果表示領域Ｆ３に隣接する隣接エリアＡ１に、変換ボタンＢ２を表示する。変換ボタンＢ２は、日本語入力での仮名を漢字に変換する際に押下される。例えば、確定前の仮名文字には、図６（ａ）に示すように破線の下線が付される。
【００９１】
変換ボタンＢ２が押下されると、液晶表示部８は、変換候補を一覧表示する。例えば、図６（ａ）の例では、変換ボタンＢ２が押下されると、例えば、「京セラミタ」などの漢字を含む文字列が変換候補として表示される。そして、使用者は、矢印キーＫ１９を用いて変換する漢字を選択する。液晶表示部８は、選択された漢字を入力結果表示領域Ｆ３に表示する。これにより、使用者は、漢字入力を行うことができる。
【００９２】
一方、図６（ｂ）に示すように、アルファベット入力がなされた場合、漢字への変換の必要はない。そのため、液晶表示部８は、隣接エリアＡ１に変換ボタンＢ２を表示しない。そして、変換ボタンＢ２に変えて、隣接エリアＡ１には、制限文字数（入力可能残文字数）に関する情報が表示される。これにより、液晶表示部８の表示領域を有効活用することができる。
【００９３】
（表示制御）
次に、図７に基づき、本発明の実施形態に係る文字、数字、記号等の入力画面での表示制御の一例を説明する。図７は、本発明の実施形態に係る文字、数字、記号等の入力画面での表示制御の一例を示すフローチャートである。
【００９４】
まず、図７のスタートは、使用者による操作パネル１の操作によって、液晶表示部８が、入力結果表示領域Ｆの表示を要する各種入力画面を表示する時点である。例えば、操作パネル１の送信キー１６が押下され、宛先入力画面Ｓ１を表示する必要がある場合や、ＦＡＸ送信先入力画面Ｓ２を表示する必要がある場合や、ソフトキーボード入力画面Ｓ３を表示する必要がある場合である。
【００９５】
表示制御部１０は、例えば、再宛先ボタンＢ１や変換ボタンＢ２等、用いることができる補助入力機能のボタンがあり、ボタンを表示すべきかを確認する（ステップ♯１）。もし、表示すべきボタンがあれば（ステップ♯１のＹｅｓ）、表示制御部１０は、液晶表示部８に入力結果表示領域Ｆを含む各入力画面と、表示すべきボタンを表示させる（ステップ♯２）。
【００９６】
一方、表示すべきボタンがなければ（ステップ♯１のＮｏ）、表示制御部１０は、制限文字数に関する情報等、ボタンに変えて表示する（ボタンが表示されない場合に表示する）情報があるかを確認する（ステップ♯３）。
【００９７】
もし、表示すべき情報があれば（ステップ♯３のＹｅｓ）、表示制御部１０は、液晶表示部８に、入力結果表示領域Ｆを含む各入力画面と、情報を表示させる（ステップ♯４）。一方、表示すべき情報がなければ（ステップ♯３のＮｏ）、表示制御部１０は、液晶表示部８に、入力結果表示領域Ｆを含む各入力画面を表示させる（ステップ♯５、ボタンや情報は表示されない）。
【００９８】
即ち、表示入力装置（操作パネル１）は、操作入力を受け付ける入力部（タッチパネル部１１等）と、操作入力用の画面を表示し、入力部（タッチパネル部１１等）への入力を反映し、少なくとも数字、文字を表示する入力結果表示領域Ｆを含む表示部（液晶表示部８）と、を有し、表示部は、数字、文字を入力する上で、利用可能な機能がある場合、入力結果表示領域Ｆ内又は入力結果表示領域Ｆの隣接エリアＡ１に、利用可能な機能を用いるための入力用のボタン（再宛先ボタンＢ１、変換ボタンＢ２等）を表示し、利用可能な機能がない場合、入力結果表示領域Ｆ内又は入力結果表示領域Ｆの隣接エリアＡ１に、ボタンを表示しない。更に、表示部は、ボタンを表示しないとき、ボタンに変えて、入力に関する情報を表示する（場合がある）。
【００９９】
そして、表示制御部１０は、ステップ♯２、ステップ♯４、ステップ♯５の後、使用者による操作パネル１への入力が行われたかを確認する（ステップ♯６）。もし、入力が行われなければ（ステップ♯６のＮｏ）、例えば、ステップ♯１に戻ればよい。これにより、常時、ボタンの表示や情報の表示の必要性が確認される。
【０１００】
一方、使用者による入力が行われれば、表示制御部１０は、例えば、スタートキー１３が押下されジョブの実行が指示された場合や、他の機能の設定画面への表示の切り替えの指示がなされた場合など、入力画面の表示を終了してよいか確認する（ステップ♯７）。言い換えると、表示制御部１０は、入力画面の表示条件がなくなったかを確認する。
【０１０１】
まだ、入力画面を表示すべき必要があれば（ステップ♯７のＮｏ）、例えば、ステップ♯１に戻ればよい。そして、ステップ♯１では、液晶表示部８は、使用者のなした入力の結果を入力結果表示領域Ｆに反映させて表示することになる。一方、入力画面を表示すべき必要がなくなれば（ステップ♯７のＹｅｓ）、表示制御部１０は、本制御を終了すればよい（エンド）。
【０１０２】
このようにして、本発明の構成によれば、数字、文字を入力する上で、利用可能な機能がある場合、入力結果表示領域Ｆ内又は入力結果表示領域Ｆの隣接エリアＡ１に、利用可能な機能を用いるための入力用のボタン（再宛先ボタンＢ１、変換ボタンＢ２等）が表示され、利用可能な機能がない場合、入力結果表示領域Ｆ内又は入力結果表示領域Ｆの隣接エリアＡ１に、ボタンが表示されない。
【０１０３】
これにより、数字、文字を入力する上で、利用可能な機能を用いるための入力用のボタン（再宛先ボタンＢ１、変換ボタンＢ２等）が入力結果表示領域Ｆに近い位置に必ず表示される。従って、ボタンの操作の結果が入力結果表示領域Ｆに反映されることや、ボタンの使用タイミングを直観的に理解することができる。又、機能が使用可能であることを確実に使用者に伝えることができる。又、利用可能な機能がない場合、ボタンは表示されないので、画面領域の無駄をなくし、画面領域を有効に活用することができる。
【０１０４】
又、ボタン（再宛先ボタンＢ１、変換ボタンＢ２等）が表示されないとき、ボタンに変えて、入力に関する情報が表示される。これにより、画面領域の無駄をなくし、画面領域を有効に活用することができる。又、ボタンは、前に実行されたデータ送信の宛先を呼び出す再宛先ボタンＢ１である。これにより、入力結果表示領域Ｆ内又は隣接して再宛先ボタンＢ１が表示され、たとえ表示部（液晶表示部８）のパネルサイズが小さくても、再宛先ボタンＢ１が確実に視認される。従って、再宛先ボタンＢ１の視認性が向上する。又、再宛先ボタンＢ１の押し忘れや見落としがなくなり、使用者の数字等の入力における利便性を向上させることができる。
【０１０５】
又、画像形成装置（例えば、複合機）で数字や文字の入力を行う上で、従って、ボタン（再宛先ボタンＢ１、変換ボタンＢ２等）の操作の結果が入力結果表示領域Ｆに反映されることや、ボタンの使用タイミングを直観的に理解することができる。又、機能が使用可能であることが確実に使用者に伝えられる。又、利用可能な機能がない場合、ボタンは表示されず、画面領域は有効に活用される。従って、表示の無駄がなく、使用タイミングやボタンの操作がどの領域に反映されるかを直観的に理解できる画像形成装置を提供することができる。
【０１０６】
次に、他の実施形態を説明する。上記の実施形態では、再宛先ボタンＢ１や変換ボタンＢ２を例に挙げて説明したが、本発明は、他の文字や数字の入力に関するボタンにも適用することができる。例えば、画像読取部２での読み取りで得られた画像データに名称を付けて（名称の入力をして）、記憶装置９２に記憶させる場合、すでに記憶装置９２に記憶されている画像データのファイルの名称を呼び出すためのボタンなどにも適用することができる。従って、本発明は、再宛先ボタンＢ１や変換ボタンＢ２の機能に限られるものではない。
【０１０７】
本発明の実施形態を説明したが、本発明の範囲はこれに限定されるものではなく、発明の主旨を逸脱しない範囲で種々の変更を加えて実施することができる。
【産業上の利用可能性】
【０１０８】
本発明は、液晶表示部８等の表示部と、タッチパネル部１１等の入力部を有する画像形成装置に利用可能である。
【符号の説明】
【０１０９】
１００  複合機（画像形成装置）      １      操作パネル（表示入力装置）
１１    タッチパネル部（入力部）    １２    テンキー部（入力部）
８      液晶表示部（表示部）        Ｂ１    再宛先ボタン（入力用のボタン）
Ｂ２    変換ボタン（入力用のボタン）
Ｆ（Ｆ１、Ｆ２、Ｆ２）    入力結果表示領域
【図１】
2011199504.tif 000003
【図２】
2011199504.tif 000004
【図３】
2011199504.tif 000005
【図４】
2011199504.tif 000006
【図５】
2011199504.tif 000007
【図６】
2011199504.tif 000008
【図７】
2011199504.tif 000009